【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
一時的に招待したゲストユーザがアクセスすべきアクセス先と、一般のユーザがアクセスすべきアクセス先とをそれぞれ備え、クライアント端末を操作するユーザの認証を行う情報処理装置であって、
前記クライアント端末から、少なくともアクセス元ユーザを特定することができる情報を含むアクセス要求を受け付けるアクセス要求受付手段と、
前記アクセス要求受付手段により受け付けたアクセス元ユーザのアクセス先が、一時的に招待したゲストユーザがアクセスすべきアクセス先である場合、当該アクセス要求に含まれるユーザを特定することができる情報を用いて、前記情報処理装置が管理するユーザ情報に従って認証処理を行い、かつ、前記アクセス要求受付手段により受け付けたアクセス元ユーザのアクセス先が、一般のユーザがアクセスすべきアクセス先である場合、当該アクセス要求に含まれるユーザを特定することができる情報を用いて、認証サーバに認証処理の依頼を行う認証手段と
を有することを特徴とする情報処理装置。
【請求項２】
一時的に招待したゲストユーザに関するユーザ情報を管理するゲスト招待テーブルを記憶する第一の記憶手段を有し、
前記認証手段は、前記アクセス要求受付手段により受け付けたアクセス元ユーザのアクセス先が、一時的に招待したゲストユーザがアクセスすべきアクセス先である場合、前記第一の記憶手段により記憶されるゲスト招待テーブルのユーザ情報を用いて認証を行うことを特徴とする請求項１に記載の情報処理装置。
【請求項３】
前記第一の記憶手段が記憶するゲスト招待テーブルには、前記ゲストユーザを招待するＷＥＢ会議を特定する情報が含まれ、
前記認証手段は、前記アクセス要求受付手段により受け付けたアクセス元ユーザのアクセス先が、予め定められたＵＲＬである場合、パラメータとして付加された文字列からユーザを特定することができる情報とＷＥＢ会議を特定する情報とを含む情報を抽出し、当該抽出した情報と前記ゲスト招待テーブルに記憶される情報と用いて認証を行うことを特徴とする請求項２に記載の情報処理装置。
【請求項４】
前記認証サーバは、ＬＤＡＰサーバであることを特徴とする請求項１乃至３のいずれか１項に記載の情報処理装置。
【請求項５】
一時的に招待したゲストユーザがアクセスすべきアクセス先と、一般のユーザがアクセスすべきアクセス先とをそれぞれ備え、クライアント端末を操作するユーザの認証を行う情報処理装置における制御方法であって、
前記クライアント端末から、少なくともアクセス元ユーザを特定することができる情報を含むアクセス要求を受け付けるアクセス要求受付ステップと、
前記アクセス要求受付ステップにより受け付けたアクセス元ユーザのアクセス先が、一時的に招待したゲストユーザがアクセスすべきアクセス先である場合、当該アクセス要求に含まれるユーザを特定することができる情報を用いて、前記情報処理装置が管理するユーザ情報に従って認証処理を行い、かつ、前記アクセス要求受付ステップにより受け付けたアクセス元ユーザのアクセス先が、一般のユーザがアクセスすべきアクセス先である場合、当該アクセス要求に含まれるユーザを特定することができる情報を用いて、認証サーバに認証処理の依頼を行う認証ステップと
を含むことを特徴とする制御方法。
【請求項６】
クライアント端末と、一時的に招待したゲストユーザがアクセスすべきアクセス先と、一般のユーザがアクセスすべきアクセス先とをそれぞれ備え、クライアント端末を操作するユーザの認証を行う情報処理装置とが通信可能な情報処理システムであって、
前記クライアント端末から、少なくともアクセス元ユーザを特定することができる情報を含むアクセス要求を受け付けるアクセス要求受付手段と、
前記アクセス要求受付手段により受け付けたアクセス元ユーザのアクセス先が、一時的に招待したゲストユーザがアクセスすべきアクセス先である場合、当該アクセス要求に含まれるユーザを特定することができる情報を用いて、前記情報処理装置が管理するユーザ情報に従って認証処理を行い、かつ、前記アクセス要求受付手段により受け付けたアクセス元ユーザのアクセス先が、一般のユーザがアクセスすべきアクセス先である場合、当該アクセス要求に含まれるユーザを特定することができる情報を用いて、認証サーバに認証処理の依頼を行う認証手段と
を有することを特徴とする情報処理システム。
【請求項７】
一時的に招待したゲストユーザがアクセスすべきアクセス先と、一般のユーザがアクセスすべきアクセス先とをそれぞれ備え、クライアント端末を操作するユーザの認証を行う情報処理装置において実行可能なプログラムであって、
前記クライアント端末から、少なくともアクセス元ユーザを特定することができる情報を含むアクセス要求を受け付けるアクセス要求受付手段、
前記アクセス要求受付手段により受け付けたアクセス元ユーザのアクセス先が、一時的に招待したゲストユーザがアクセスすべきアクセス先である場合、当該アクセス要求に含まれるユーザを特定することができる情報を用いて、前記情報処理装置が管理するユーザ情報に従って認証処理を行い、かつ、前記アクセス要求受付手段により受け付けたアクセス元ユーザのアクセス先が、一般のユーザがアクセスすべきアクセス先である場合、当該アクセス要求に含まれるユーザを特定することができる情報を用いて、認証サーバに認証処理の依頼を行う認証手段
として前記情報処理装置を機能させることを特徴とするプログラム。
【手続補正２】
【補正対象書類名】明細書
【補正対象項目名】発明の名称
【補正方法】変更
【補正の内容】
【発明の名称】情報処理装置、およびその制御方法、情報処理システム、プログラム
【手続補正３】
【補正対象書類名】明細書
【補正対象項目名】００１１
【補正方法】変更
【補正の内容】
【００１１】
そこで、本願発明は上記課題を解決するものであり、認証サーバで管理していないゲストユーザの認証も可能とする。
【手続補正４】
【補正対象書類名】明細書
【補正対象項目名】００１２
【補正方法】変更
【補正の内容】
【００１２】
本発明は、一時的に招待したゲストユーザがアクセスすべきアクセス先と、一般のユーザがアクセスすべきアクセス先とをそれぞれ備え、クライアント端末を操作するユーザの認証を行う情報処理装置であって、前記クライアント端末から、少なくともアクセス元ユーザを特定することができる情報を含むアクセス要求を受け付けるアクセス要求受付手段と、前記アクセス要求受付手段により受け付けたアクセス元ユーザのアクセス先が、一時的に招待したゲストユーザがアクセスすべきアクセス先である場合、当該アクセス要求に含まれるユーザを特定することができる情報を用いて、前記情報処理装置が管理するユーザ情報に従って認証処理を行い、かつ、前記アクセス要求受付手段により受け付けたアクセス元ユーザのアクセス先が、一般のユーザがアクセスすべきアクセス先である場合、当該アクセス要求に含まれるユーザを特定することができる情報を用いて、認証サーバに認証処理の依頼を行う認証手段とを有することを特徴とする。
【手続補正５】
【補正対象書類名】明細書
【補正対象項目名】００１３
【補正方法】変更
【補正の内容】
【００１３】
本発明によれば、認証サーバで管理していないゲストユーザの認証も可能となる。